(57)【要約】【課題】ラインローラをより円滑に回転させる。【解決手段】ラインローラ９は、ベアリング部材９１と、案内部材９２とを備える。ベアリング部材９１は、円筒状の内輪９１１と、内輪９１１の外周側に配置される円筒状の外輪９１２と、内輪９１１と外輪９１２との間に周方向に間隔をあけて配置される複数の転動体９１３と、を有する。案内部材９２は、外輪９１２と同種の材料で形成されている。また、案内部材９２は、釣糸を案内するガイド面９２１を外周側に有する筒状の部材であり、ベアリング部材９１の外周側においてベアリング部材９１に一体的に固着される。【選択図】図６
2014209877.tif 000002
【特許請求の範囲】
【請求項１】
スピニングリールのスプールに釣糸を案内するためのラインローラであって、
円筒状の内輪、前記内輪の外周側に配置される円筒状の外輪、及び前記内輪と外輪との間に周方向に間隔をあけて配置される複数の転動体、を有するベアリング部材と、
前記外輪と同種の材料で形成され、前記釣糸を案内するガイド面を外周側に有し、前記ベアリング部材の外周側において前記ベアリング部材に一体的に固着される筒状の案内部材と、
を備える、ラインローラ。
【請求項２】
前記内輪、前記外輪、及び前記案内部材は、互いに同種の材料で形成される、請求項１に記載のラインローラ。
【請求項３】
前記案内部材は、周方向に延びる環状の凹部をガイド面に有する、請求項１又は２に記載のラインローラ。
【請求項４】
前記案内部材と前記外輪とは、互いにイオン化傾向が同じ金属又は合金から形成される、請求項１から３のいずれかに記載のラインローラ。
【請求項５】
前記外輪及び案内部材は、ステンレス鋼で形成される、請求項１から４のいずれかに記載のラインローラ。
【請求項６】
前記案内部材は、前記外輪が前記案内部材に嵌合することによって、前記外輪に一体的に固着される、請求項１から５のいずれかに記載のラインローラ。
【請求項７】
前記案内部材は、前記外輪の外周面と前記案内部材の内周面とが接着することによって、前記外輪に一体的に固着される、請求項１から６のいずれかに記載のラインローラ。
【請求項８】
前記案内部材は、少なくとも前記ガイド面において、表面処理によって形成された表面処理層を有する、請求項１から７のいずれかに記載のラインローラ。
【請求項９】
前記案内部材は、前記外輪の軸方向長さよりも長い第１軸方向長さを有する外周部と、前記第１軸方向長さよりも短い第２軸方向長さを有する内周部と、を有する、請求項１から８のいずれかに記載のラインローラ。
【請求項１０】
スピニングリールのロータの一対のロータアームの先端部に設けられ、スプールに釣糸を案内する釣糸案内機構であって、
ベールと、
前記一方のロータアームの先端部に設けられ、前記ベールの第１端部を支持する第１ベール支持部材と、
前記他方のロータアームの先端部に設けられ、前記ベールの第２端部を支持する第２ベール支持部材と、
前記第１ベール支持部材と前記ベールの前記第１端部との間を延びる固定軸と、
前記固定軸に回転可能に支持される、請求項１から９のいずれかに記載のラインローラと、
を備える、釣糸案内機構。
【発明の詳細な説明】
【技術分野】
【０００１】
本発明は、ラインローラ、及びこれを用いた釣糸案内機構に関するものである。
【背景技術】
【０００２】
スピニングリールは、スプールと、一対のロータアームを有するロータと、一対のロータアームの先端部に揺動可能に装着された釣糸案内機構（いわゆるベールアーム）と、を備えている。釣糸案内機構は、釣糸をスプールに案内するための機構であり、ベールと、ベールの両端部を支持する一対のベール支持部材と、ラインローラと、から主に構成されている。ラインローラは、一般的にブッシュを介してベアリングに装着されている。このラインローラの回転をより円滑にするために、例えば、特許文献１には、ベアリングの外周面に凹部を形成することによって構成されたラインローラが開示されている。このようにブッシュなどの部品点数を減らすことによって、ラインローラの回転の円滑性を向上させている。
【先行技術文献】
【特許文献】
【０００３】
【特許文献１】特開平４−３１６４４３号公報
【発明の概要】
【発明が解決しようとする課題】
【０００４】
上述したラインローラは、ベアリングの外輪の外周面に凹部を形成することによって構成されているが、ベアリングの外輪に凹部を形成すると、外輪と転動体との接触などにも影響を与えてしまう。この結果、ベアリングの回転の円滑性が損なわれるおそれがある。
【０００５】
本発明の課題は、ラインローラをより円滑に回転させることにある。
【課題を解決するための手段】
【０００６】
（１）本発明の第１側面に係るラインローラは、スピニングリールのスプールに釣糸を案内するためのラインローラであって、ベアリング部材と、案内部材とを備える。ベアリング部材は、円筒状の内輪と、内輪の外周側に配置される円筒状の外輪と、内輪と外輪との間に周方向に間隔をあけて配置される複数の転動体と、を有する。案内部材は、外輪と同種の材料で形成され、釣糸を案内するガイド面を外周側に有する筒状の部材である。また、案内部材は、ベアリング部材の外周側においてベアリング部材に一体的に固着される。
【０００７】
この構成によれば、ベアリング部材と案内部材とは別部材によって構成されているため、案内部材の外周面であるガイド面を加工しても、ベアリング部材の回転の円滑性に影響をおよぼすことがない。また、案内部材はベアリング部材に直接固着しているため、ラインローラは円滑に回転する。なお、案内部材はベアリング部材に直接固着しているが、案内部材とベアリング部材とは互いに同種の材料で形成されているため、電食を抑制することができる。
【０００８】
（２）好ましくは、内輪、外輪、及び案内部材は、互いに同種の材料で形成されている。この構成によれば、電食をより抑制することができる。
【０００９】
（３）好ましくは、案内部材は、周方向に延びる環状の凹部をガイド面に有する。この構成によれば、このガイド面に形成された凹部を利用して釣糸をスプールに案内することができる。
【００１０】
（４）好ましくは、案内部材と外輪とは、互いにイオン化傾向が同じ金属又は合金から形成される。この構成によれば、電食を抑制することができる。
【００１１】
（５）好ましくは、外輪及び案内部材は、ステンレス鋼で形成される。
【００１２】
（６）好ましくは、案内部材は、外輪が案内部材に嵌合することによって、外輪に一体的に固着される。この構成によれば、容易に案内部材を外輪に固着させることができる。
【００１３】
（７）好ましくは、案内部材は、外輪の外周面と案内部材の内周面とが接着することによって、外輪に一体的に固着される。この構成によれば、より確実に案内部材を外輪に固着させることができる。
【００１４】
（８）好ましくは、案内部材は、少なくともガイド面において、表面処理によって形成された表面処理層を有する。この構成によれば、ガイド面の耐久性を向上させたり、釣糸との摩擦抵抗を低減させたりと、種々の特性を向上させることができる。また、案内部材とベアリング部材とは別部材によって構成されているため、案内部材にのみ表面処理を施すことが容易に行える。
【００１５】
（９）好ましくは、案内部材は、外輪の軸方向長さよりも長い第１軸方向長さを有する外周部と、第１軸方向長さよりも短い第２軸方向長さを有する内周部と、を有する。
【００１６】
（１０）本発明の第２側面に係る釣糸案内機構は、スピニングリールのロータの一対のロータアームの先端部に設けられ、スプールに釣糸を案内する機構であり、ベールと、第１及び第２ベール支持部材と、固定軸と、上記いずれかのラインローラと、を備えている。第１ベール支持部材は、一方のロータアームの先端部に設けられ、ベールの第１端部を支持する。第２ベール支持部材は、他方のロータアームの先端部に設けられ、ベールの第２端部を支持する。固定軸は、第１ベール支持部材とベールの第１端部との間を延びる。ラインローラは、固定軸に回転可能に支持される。
【発明の効果】
【００１７】
本発明によれば、より円滑に回転することのできるラインローラを提供することができる。
【図面の簡単な説明】
【００１８】
【図１】スピニングリールの左側面図。
【図２】スピニングリールの左側断面図。
【図３】スピニングリールの正面図。
【図４】釣糸案内機構の部分拡大図。
【図５】釣糸案内機構の部分拡大断面図。
【図６】ラインローラの断面図。
【発明を実施するための形態】
【００１９】
本発明の実施形態に係るラインローラ、及びこれを用いたスピニングローラの実施形態について図面を参照しつつ説明する。図１はスピニングリールの左側面図、図２はスピニングリールの左側面断面図である。なお、以下の説明において、図１及び図２の左側を前方、図１及び図２の右側を後方とする。
【００２０】
［全体構成］
図１及び図２に示すように、スピニングリール１０は、ハンドル１、リール本体２、スプール３、ロータ４、及び釣糸案内機構（いわゆるベールアーム）５を備えている。ハンドル１は、リール本体２に回転可能に支持されており、リール本体２の左右いずれにも装着可能である。
【００２１】
［リール本体２］
リール本体２は、側部に開口を有するハウジング２１と、ハウジング２１の開口を塞ぐ蓋部材２２とを有している。ハウジング２１は、内部に種々の機構を装着するための空間を有するとともに、斜め上前方に延びるＴ字状の取付脚２１１を有している。図２に示すように、ハウジング２１の空間内には、ロータ駆動機構６及びオシレーティング機構７が設けられている。
【００２２】
ロータ駆動機構６は、ロータ４をハンドル１の回転に連動して回転させるための機構である。このロータ駆動機構６は、駆動軸６１、駆動ギア６２、及びピニオンギア６３を有している。
【００２３】
駆動軸６１は、ハウジング２１内の左右方向に延びるように配置されており、駆動軸６１の両端は軸受を介してハウジング２１に回転可能に支持されている。駆動軸６１の両端にはねじ方向及び径が異なる雌ねじ部がそれぞれ形成されており、これら雌ねじ部にハンドル１が装着可能である。駆動ギア６２は、駆動軸６１と一体的に回転するよう駆動軸６１に固定されている。この駆動ギア６２はフェースギアである。
【００２４】
ピニオンギア６３は、筒状に形成されており、駆動ギア６２に噛み合うように構成されている。このピニオンギア６３がハウジング２１内を前後方向に延びるように配置され、ピニオンギア６３の前部はロータ４の中心部を貫通しており、ナット６４によってロータ４と固定されている。そして、ピニオンギア６３の軸方向の中間部と後端部とが、それぞれ軸受６５ａ、６５ｂを介してリール本体２に回転可能に支持されている。
【００２５】
オシレーティング機構７は、釣り糸を均一に巻き取るためにスプール３を前後方向に移動させる機構である。このオシレーティング機構７は、スプール軸７１、螺軸７２、スライダ７３、及び中間ギア７４を有している。
【００２６】
スプール軸７１は、前後方向に延びるように配置され、ピニオンギア６３の中心部を軸方向に貫通して配置され、ピニオンギア６３の内部を前後に往復移動可能である。スプール軸７１は、中間部がナット６４内に装着された軸受６５ｃによって、後部がピニオンギア６３の後部内周面によって、軸方向移動可能に支持される。なお、スプール軸７１は回転不能であり、ピニオンギア６３はスプール軸７１に対して相対的に回転自在である。スプール軸７１がピニオンギア６３と相対回転しながら前後移動するときに、ピニオンギア６３にスプール軸７１がかじりつくのを防止するために、スプール軸７１の表面には、無電解Ｎｉメッキが施されている。
【００２７】
螺軸７２は、スプール軸７１の下方においてスプール軸７１と平行に配置されている。スライダ７３は、螺軸７２に沿って前後方向に移動し、スプール軸７１の後端が回転不能に固定されている。中間ギア７４は、螺軸７２の先端に固定されており、ピニオンギア６３に噛み合っている。
【００２８】
［スプール３］
スプール３は、釣り糸が外周面に巻き付けられる部材であり、リール本体２の前方において前後方向に移動可能に配置されている。より詳細には、図１及び図２に示すように、スプール３は、後述するロータ４の第１ロータアーム４２ａと第２ロータアーム４２ｂとの間に配置されている。また、スプール３は、中心部がスプール軸７１の先端部にドラグ機構８を介して連結されている。このスプール３は、糸巻胴部３１、スカート部３２、及びフランジ部３３を有している。糸巻胴部３１は、円筒状の部材であり、外周面に釣糸が巻きつけられる。スカート部３２は、糸巻胴部３１よりも径が大きい円筒状であって、糸巻胴部３１の後方に配置されている。フランジ部３３は、糸巻胴部３１に糸巻胴部３１の前端に形成されている。なお、糸巻胴部３１、スカート部３２、及びフランジ部３３は一体的に形成されている。
【００２９】
［ロータ４］
ロータ４はリール本体２の前方において回転可能に支持されている。図２に示すように、ロータ４は、円筒部４１と、第１及び第２ロータアーム４２ａ、４２ｂとを備えている。円筒部４１と、第１及び第２ロータアーム４２ａ、４２ｂとは、たとえばアルミニウム合金製であり、一体的に形成されている。円筒部４１は、後端部を除いてスプール３のスカート部３２内に収容されている。また、円筒部４１は内部にボス部４１１を有し、このボス部４１１を介して円筒部４１はピニオンギア６３に固定されている。詳細には、ボス部４１１の中心部に貫通孔が形成されており、この貫通孔をピニオンギア６３が貫通している。ボス部４１１の前方にはナット６４が配置され、このナット６４によって、ピニオンギア６３にロータ４が固定される。
【００３０】
円筒部４１の側方から第１及び第２ロータアーム４２ａ、４２ｂが前方へと延びている。第１ロータアーム４２ａと第２ロータアーム４２ｂとは、円筒部４１の周方向において、反対側の位置に配置されている。
【００３１】
［釣糸案内機構５］
図３はスピニングリールの正面図、図４は釣糸案内機構の部分拡大図、図５は釣糸案内機構の部分断面図である。図１〜図３に示すように、釣糸案内機構５は、スプール３に釣糸を案内するための機構であり、第１ロータアーム４２ａ及び第２ロータアーム４２ｂの先端部に、糸案内姿勢と糸開放姿勢との間で揺動可能に装着されている。この釣糸案内機構５は、第１及び第２ベール支持部材５１ａ、５１ｂと、ベール５２と、固定軸５３と、ラインローラ９と、２つの規制部材５５（図５参照）と、を備えている。
【００３２】
第１ベール支持部材５１ａは第１ロータアーム４２ａの先端部外側に揺動可能に装着され、第２ベール支持部材５１ｂは第２ロータアーム４２ｂの先端部外側に揺動可能に装着されている。図４に示すように、第１ベール支持部材５１ａは、第１端部５１１と第２端部５１２とを有し、第１端部５１１は第１ロータアーム４２ａに揺動可能に装着され、第２端部５１２は、固定軸５３及び固定ボルト５６を介してベール５２の第１端部であるカバー部５２１を支持する。
【００３３】
図５に示すように、第１ベール支持部材５１ａの第２端部５１２には段付きの貫通孔５１３が形成されている。この貫通孔５１３には、固定軸５３を第１ベール支持部材５１ａに固定するための固定ボルト５６が貫通している。また、図１及び図２に示すように、第２ベール支持部材５１ｂは、第１端部５１４が第２ロータアーム４２ｂに揺動可能に装着され、第２端部５１５がベール５２の第２端部を支持する。
【００３４】
図３に示すように、ベール５２は、略Ｕ字状のステンレス合金製の部材であり、スプール３の外周面に沿って外方に凸となるように湾曲している。このベール５２は、第１端部にカバー部５２１を有しており、このカバー部５２１が固定軸５３及び固定ボルト５６を介して第１ベール支持部材５１ａに支持されている。また、ベール５２の第２端部は、第２ベール支持部材５１ｂに支持されている。このベール５２は、釣糸案内機構５が糸開放姿勢から糸案内姿勢に復帰したときに釣り糸をカバー部５２１を介してラインローラ９に導く。
【００３５】
図５に示すように、固定軸５３は、第１ベール支持部材５１ａとベール５２との間を延びる。より詳細には、固定軸５３は、円筒形の軸部５３１と、軸部５３１よりも大径の頭部５３２を有する。軸部５３１の基端部５３１１はベール５２のカバー部５２１に支持され、軸部５３１の先端部５３１２は第１ベール支持部材５１ａの第２端部５１２に支持される。この固定軸５３の軸部５３１の内周面には雌ねじ部が形成されており、固定ボルト５６が螺合している。
【００３６】
図６は、ラインローラの断面図である。図６に示すように、ラインローラ９は、ベアリング部材９１と、案内部材９２とを備えている。ベアリング部材９１は、円筒状の内輪９１１、円筒状の外輪９１２、及び複数の転動体９１３を有する。内輪９１１には、固定軸５３が嵌合している。すなわち、内輪９１１は、固定軸５３に対して回転しないように固定されている。外輪９１２は、円筒状の内輪９１１よりも大径であり、内輪９１１の外周側に配置されている。複数の転動体９１３は、内輪９１１と外輪９１２との間に配置されており、周方向に所定の間隔で配置されている。この内輪９１１と外輪９１２とは、同種の金属又は合金によって形成されており、例えばステンレス鋼によって形成されている。
【００３７】
案内部材９２は、略円筒状であって、その内周側にベアリング部材９１が一体的に固着している。具体的には、ベアリング部材９１が案内部材９２に嵌合している。これによって、案内部材９２は外輪９１２と一体的に回転する。案内部材９２は、外輪９１２とイオン化傾向が同じ金属又は合金によって形成することが好ましく、例えば、外輪９１２と同じステンレス鋼によって形成されている。案内部材９２の外周面は釣糸を案内するためのガイド面９２１となっている。具体的には、ガイド面９２１の中央部には周方向に延びる環状の凹部９２２が形成されている。なお、この凹部９２２は、ガイド面９２１の中央よりもカバー５２１側の位置に形成されている。ガイド面９２１は、釣糸を凹部９２２へと案内するよう、両端部から凹部９２２に向かって傾斜している。また、案内部材９２は、外周部９２３と内周部９２４とを有しており、外周部９２３の軸方向長さである第１軸方向長さＬ１は、外輪９１２の軸方向長さよりも長くなるように構成されている。また、内周部９２４の軸方向長さである第２軸方向長さＬ２は、外輪９１２の軸方向長さとほぼ同じ又は外輪９１２の軸方向長さよりもわずかに長くなっており、外周部９２３の第１軸方向長さＬ１よりも短い。
【００３８】
図５に示すように、２つの規制部材５５は、ラインローラ９を挟むように固定軸５３に回転可能に支持されている。具体的には、一方の規制部材５５は、カバー部５２１とラインローラ９との間に配置されている。また、他方の規制部材５５は、第１ベール支持部材５１ａの第２端部５１２と、ラインローラ９との間に配置されている。この２つの規制部材５５によって、ラインローラ９の軸方向への移動を規制している。各規制部材５５は、円筒状の形状であって、内径は固定軸５３の外径以上である。また、各規制部材５５の外径は、ベアリング部材９１の内輪の外径よりも大きい。
【００３９】
次に、リールの操作及び動作について詳細に説明する。キャスティング時には、ロータ４を逆転禁止状態にして、手で釣糸案内機構５を持って釣糸案内機構５を糸開放姿勢に反転させる。釣糸案内機構５が糸開放姿勢に倒れた状態では、スプール３からの釣り糸を容易に繰り出すことが可能である。
【００４０】
キャスティング後に、釣糸案内機構５を糸開放姿勢に維持したままの状態で、ハンドル１を糸巻き取り方向に回転させると、ロータ駆動機構６によりロータ４が糸巻き取り方向に回転する。ロータ４が糸巻き取り方向に回転すると、釣糸案内機構５が糸巻き取り姿勢に復帰する。このとき、さらにハンドル１を糸巻き取り方向に回転させると、釣り糸はベール５２からカバー部５２１を介してラインローラ９に案内され、スプール３に巻き取られる。
【００４１】
［特徴］
本実施形態に係るラインローラ９は、次の特徴を有する。
【００４２】
（１）ラインローラ９は、スピニングリール１０のスプール３に釣糸を案内するための部材であって、ベアリング部材９１と、案内部材９２とを備える。ベアリング部材９１は、円筒状の内輪９１１と、内輪９１１の外周側に配置される円筒状の外輪９１２と、内輪９１１と外輪９１２との間に周方向に間隔をあけて配置される複数の転動体９１３と、を有する。案内部材９２は、外輪９１２と同種の材料で形成されている。また、案内部材９２は、釣糸を案内するガイド面９２１を外周側に有する筒状の部材であり、ベアリング部材９１の外周側においてベアリング部材９１に一体的に固着される。
【００４３】
この構成によれば、ベアリング部材９１と案内部材９２とは別部材によって構成されているため、案内部材９２の外周面であるガイド面９２１を加工しても、ベアリング部材９１の回転の円滑性に影響をおよぼすことがない。また、案内部材９２はベアリング部材９１に直接固着しているため、ラインローラ９は円滑に回転する。なお、案内部材９２はベアリング部材９１に直接固着しているが、案内部材９２とベアリング部材９１とは互いに同種の材料で形成されているため、電食を抑制することができる。
【００４４】
（２）内輪９１１、外輪９１２、及び案内部材９２は、互いに同種の材料で形成されている。この構成によれば、電食をより抑制することができる。
【００４５】
（３）案内部材９２は、周方向に延びる環状の凹部９２２をガイド面９２１に有する。この構成によれば、このガイド面９２１に形成された凹部９２２を利用して釣糸をスプール３に案内することができる。
【００４６】
（４）案内部材９２と外輪９１２とは、互いにイオン化傾向が同じ金属又は合金から形成される。この構成によれば、電食を抑制することができる。
【００４７】
（５）案内部材９２は、外輪９１２が案内部材９２に嵌合することによって、外輪９１２に一体的に固着される。この構成によれば、容易に案内部材９２を外輪９１２に固着させることができる。
【００４８】
（６）案内部材９２は、外輪９１２の軸方向長さよりも長い第１軸方向長さＬ１を有する外周部９２３と、第１軸方向長さＬ１よりも短い第２軸方向長さＬ２を有する内周部９２４と、を有する。
【００４９】
［変形例］
以上、本発明の実施形態について説明したが、本発明はこれらに限定されるものではなく、本発明の趣旨を逸脱しない限りにおいて種々の変更が可能である。
【００５０】
変形例１
案内部材９２をベアリング部材９１に確実に固着させるために、接着剤などによって案内部材９２の内周面と外輪９１２の外周面とを接着させてもよい。この場合、ベアリング部材９１は案内部材９２に嵌合していてもよいし、嵌合していなくてもよい。
【００５１】
変形例２
案内部材９２は、少なくともガイド面９２１に、表面処理を施すことによって表面処理層を有していてもよく、例えばＣＶＤ法又はＰＶＤ法などによってＤＬＣ（diamond-like carbon）などの表面処理層を案内部材９２の少なくともガイド面９２１に形成することができる。他にも、案内部材９２の少なくともガイド面９２１にＩＰ（Ion Plating）を施してもよい。なお、案内部材９２をベアリング部材９１に固着させる前に、案内部材９２に各種の表面処理を施すことが好ましい。これによって、ベアリング部材９１には表面処理を施さずに、案内部材９２のみに表面処理を施すことができる。この結果、ベアリング部材９１の回転の円滑性が損なわれることを防止することができる。
【００５２】
変形例３
上記実施形態では、ベアリング部材９１の外輪９１２と案内部材５３２とはイオン化傾向が同じ金属又は合金によって形成されているが、電食しない程度にイオン化傾向が同じであれば、イオン化傾向が完全に同じである必要はない。
【符号の説明】
【００５３】
１０    スピニングリール
５    釣糸案内機構
５１ａ    第１ベール支持部材
５１ｂ    第２ベール支持部材
５２    ベール
５３    固定軸
９    ラインローラ
９１    ベアリング部材
９１１    内輪
９１２    外輪
９１３    転動体
９２    案内部材
９２１    ガイド面
９２２    凹部
【図１】
2014209877.tif 000003
【図２】
2014209877.tif 000004
【図３】
2014209877.tif 000005
【図４】
2014209877.tif 000006
【図５】
2014209877.tif 000007
【図６】
2014209877.tif 000008